(57)【要約】【課題】延面距離を簡便に設けることができる変圧器を提供する。【解決手段】  本願発明に係る変圧器では、突出部３２は、胴部３１に巻回されて筒状体にされた第１巻線１の筒状体端部を臨む第１規制面と、前記胴部に巻回されて筒状体にされた前記第２巻線の当該筒状体端部を臨む第２規制面とを備え、第２規制面は、胴部３１の径の内外方向について第１規制面と隣接するものであり、第２規制面が胴部３１の軸方向について第１規制面と異なる位置に設けられることにより、第１規制面と第２規制面との間には、胴部３１の軸方向に沿って伸びる段差部３５が形成され、絶縁部材４は、第２巻線２に対し第１巻線１が呈する筒状体表面を覆うと共に、第１巻線１が呈する筒状体の端部からはみ出して段差部３５へ沿う。【選択図】図２
2013171884.tif 000002
【特許請求の範囲】
【請求項１】
一次巻線及び二次巻線の少なくとも２つの導線の巻線と、ボビンと、絶縁部材とを備え、前記一次巻線と二次巻線の一方を第１巻線とし他の一方を第２巻線として、前記ボビンは、第１巻線が巻回される胴部と、前記胴部の両端に設けられて胴部表面よりも当該胴部の径外方向へ突出する突出部とを備え、前記絶縁部材を介してボビンに巻回された第１巻線の上に第２巻線が巻回され、突出部は、第１巻線及び第２巻線が前記胴部の端部から脱落するのを防止する変圧器において、
前記突出部は、前記胴部に巻回されて筒状体にされた前記第１巻線の端部を臨む第１規制面と、第１巻線の当該筒状体に巻回されて筒状体にされた前記第２巻線の端部を臨む第２規制面とを備え、
前記第２規制面は、前記胴部の径の内外方向について前記第１規制面と隣接するものであり、前記第２規制面が前記胴部の軸方向について前記第１規制面と異なる位置に設けられることにより、前記第１規制面と第２規制面との間には、前記胴部の軸方向に沿って伸びる段差部が形成され、
上記ボビンの径内外方向について上記第２規制面が上記第１規制面と面一とならないものであり、
前記絶縁部材は、前記第２巻線に対し前記第１巻線が呈する筒状体外周面を覆うと共に、前記第１巻線が呈する筒状体の端部からはみ出して上記段差部へ沿うものであることを特徴とする変圧器。
【請求項２】
前記胴部の軸方向が上下方向となるよう前記胴部を縦に配置した状態において、
前記突出部は、前記胴部の上端と下端に設けられて横方向へ突出するものであり、前記胴部の上端側の突出部において、前記第２規制面は、上記段差部によって前記第１規制面よりも上方へ位置し、
前記胴部の下端側の突出部において、前記第２規制面は、上記段差部によって前記第１規制面よりも下方へ位置するものであり、
前記第２巻線が呈する筒状体の上端は、第１巻線が呈する筒状体の上端よりも上方に配置され、
前記第２巻線が呈する筒状体の下端は、第１巻線が呈する筒状体の下端よりも下方に配置され、
前記絶縁部材は、前記第１巻線部が呈する筒状体の上下の端部から、前記段差部側へ前記胴部の軸方向へ沿って上方及び下方へ向け延設されたものであり、
前記絶縁部材は、筒状体若しくは丸めて筒状体にすることができるシート状体であり、前記絶縁部材が呈する筒状体端部の内周面が、上記段差部に沿うものであることを特徴とする請求項１記載の変圧器。
【請求項３】
前記胴部は中空であり、前記胴部の当該中空の内部へ鉄心が通され、
前記突出部は、前記胴部の外径よりも径の大きなフランジであり、前記第１規制面は、前記突出部における前記胴部側の面へ設けられて胴部の径外側へ位置する面であり、前記第２規制面は、前記突出部の前記胴部側の面において前記第１規制部の径外側へ位置する面であり、
前記段差部の段差は、前記胴部の軸方向について、６ｍｍ〜８ｍｍの幅を備えたものであることを特徴とする請求項１又は２記載の変圧器。
【発明の詳細な説明】
【技術分野】
【０００１】
本願発明は、変圧器に関する。
【背景技術】
【０００２】
一般に、変成器又はトランスとも呼ばれる変圧器は、交流電力の電圧の高さについて、電磁誘導を利用して変換する電力機器や電子部品である。
変圧器は、鉄心を通されたボビンに巻かれる、入力側の導線の一次巻線と出力側の導線の二次巻線とを備える。例えば一次巻線は、ボビンに下巻きとして巻回され、当該一次巻線の上に上巻きとして二次巻線が巻回される。
一次巻線と二次巻線との間には、絶縁部材が設けられ、両巻線は絶縁されている。
この絶縁部材には、二次巻線に対してボビンへ巻回されて筒状体にされた一次巻線の外周面を絶縁することができるものであれば、不定形なものも含めてどのようなものでもよいが、特に筒状体とされた一次巻線の外周面を簡単に被覆できることから、合成樹脂テープ、油紙或いは合成樹脂のシートが用いられる。
【０００３】
上記一次巻線の筒状体の端部と二次巻線の筒状体の端部との間において漏電やショートが生じないよう、当該部分における絶縁も他の部分と同様確実に行われる必要がある。このような要請から、ＪＩＳ  Ｃ  ６１５５８−１：２００８（表１３）においても、一次巻線の入力側と二次巻線の出力側との間の絶縁に必要な距離として、所定の延面距離を確保することが規定されている。
その一方、絶縁部材を厚くしたり多重に介在させることは、変圧器の肥大化を招くものである。
このため、特許文献１においては、周囲に巻回面を有するボビンと、上記ボビンの上記巻回面の周囲に導線が巻回されてなる一次巻線層と、上記ボビンの上記巻回面の周囲に導線が巻回されてなる二次巻線層と、上記一次巻線層および二次巻線層との間に配置されて両者の間を絶縁する絶縁層とを備え、上記絶縁層が、上記ボビンの上記巻回面以外の部分まで延出していると共に、上記ボビンの端部に沿って屈曲された変圧器が示され（請求項１）、上記ボビンの少なくとも一端に上記巻回面よりも外側に突出するフランジが設けられており、上記絶縁層が上記フランジの表面に沿って屈曲された変圧器が示されている（請求項２）。
具体的には、特許文献１において、一次巻線と二次巻線とを電気的に絶縁する絶縁部材として、ボビンに巻かれて筒状にされた下巻線の胴部を覆う層間テープと、胴部の両端からフランジに沿って屈曲する屈曲テープとにて構成されたものが示されている（第１実施形態）。また、特許文献１には、上記絶縁部材として、上記のテープに代えて端部がフランジに沿って屈曲する筒状のプラスチック等の成形品が示されている。
【先行技術文献】
【特許文献】
【０００４】
【特許文献１】特開平１０−３２１２７号公報
【発明の概要】
【発明が解決しようとする課題】
【０００５】
しかし、特許文献１において、上記二種の絶縁用テープを用意し張り付ける手間や、一次巻線を覆う端部が屈曲した成形品を形成する手間が要求される。
本願発明は、巻線間の端部間において絶縁に必要とされる距離を簡単に従来より大きく確保することを可能として上記問題の解決を図る。
【課題を解決するための手段】
【０００６】
本願の請求項１の発明は、一次巻線及び二次巻線の少なくとも２つの導線の巻線と、ボビンと、絶縁部材とを備え、前記一次巻線と二次巻線の一方を第１巻線とし他の一方を第２巻線として、前記ボビンは、第１巻線が巻回される胴部と、前記胴部の両端に設けられて胴部表面よりも当該胴部の径外方向へ突出する突出部とを備え、前記絶縁部材を介してボビンに巻回された第１巻線の上に第２巻線が巻回され、突出部は、第１巻線及び第２巻線が前記胴部の端部から脱落するのを防止する変圧器について、次の構成を採るものを提供する。
即ち、前記突出部は、前記胴部に巻回されて筒状体にされた前記第１巻線の端部を臨む第１規制面と、第１巻線の当該筒状体に巻回されて筒状体にされた前記第２巻線の端部を臨む第２規制面とを備え、前記第２規制面は、前記胴部の径の内外方向について前記第１規制面と隣接するものであり、前記第２規制面が前記胴部の軸方向について前記第１規制面と異なる位置に設けられることにより、前記第１規制面と第２規制面との間には、前記胴部の軸方向に沿って伸びる段差部が形成され、上記ボビンの径内外方向について上記第２規制面が上記第１規制面と面一とならないものであり、前記絶縁部材は、前記第２巻線に対し前記第１巻線が呈する筒状体外周面を覆うと共に、前記第１巻線が呈する筒状体の端部からはみ出して上記段差部へ沿う。
尚、ここでいう変圧器には、鉄心を備えた通常の変圧器の他、鉄心を備えないものも含む。
本願の請求項２の発明は、本願の上記請求項１の発明に係る変圧器にあって、次の構成を採るものを提供する。
即ち、前記胴部の軸方向が上下方向となるよう前記胴部を縦に配置した状態において、前記突出部は、前記胴部の上端と下端に設けられて横方向へ突出するものであり、前記胴部の上端側の突出部において、前記第２規制面は、上記段差部によって前記第１規制面よりも上方へ位置し、前記胴部の下端側の突出部において、前記第２規制面は、上記段差部によって前記第１規制面よりも下方へ位置するものであり、前記第２巻線部が呈する筒状体の上端は、第１巻線部が呈する筒状体の上端よりも上方に配置され、前記第２巻線部の筒状体の下端は、第１巻線部の筒状体の下端よりも下方に配置され、前記絶縁部材は、前記第１巻線部が呈する筒状体の上下の端部から、前記段差部側へ前記胴部の軸方向へ沿って上方及び下方へ向け延設されたものであり、前記絶縁部材は、筒状体若しくは丸めて筒状体にすることができるシート状体であり、前記絶縁部材が呈する筒状体端部の内周面が、上記段差部に沿うものである。
本願の請求項３の発明は、本願の上記請求項１又は２の発明に係る変圧器にあって、次の構成を採るものを提供する。
即ち、前記胴部は中空であり、前記胴部の当該中空の内部へ鉄心が通され、前記突出部は、前記胴部の外径よりも径の大きなフランジであり、前記第１規制面は、前記突出部における前記胴部側の面へ設けられて胴部の径外側へ位置する面であり、前記第２規制面は、前記突出部の前記胴部側の面において前記第１規制部の径外側へ位置する面であり、前記段差部の段差は、前記胴部の軸方向について、６ｍｍ〜８ｍｍの幅を備えたものである。
【発明の効果】
【０００７】
本願の請求項１〜３の発明では、変圧器において、ボビンの端部に段差部を設けることにより、従来のようにボビンに巻かれた第１巻線と第２巻線夫々の端部と対応する第１規制面と第２規制面の両面をボビンの径内外方向について面一としない。このため、本願発明は、従来のようにボビンの径の内外方向についてのみならず、ボビンの軸方向についての第１巻線の端部と第２巻線の端部との間の幅を当該両端部間の距離の成分に含めることができ、従来の上記面一の場合よりも第１巻線の端部と第２巻線の端部の間の距離を大きく確保できるものとした。
特に本願の請求項２の発明にあっては、製造時において、第２巻線の巻回前、当該段差部へ絶縁部材の端部の位置を合わせることにより、簡単且つ確実に、絶縁部材を第２巻線に対し第１巻線の筒状体表面を被覆するように配置することができる。
また、本願の請求項２の発明では、第１巻線の呈する筒状体と第２巻線の呈する筒状体について、ボビン軸方向の長さを異なるものとする。このため、第１巻線と第２巻線のうち、絶縁部材の長さを当該軸方向について幅の大きなほうの巻線に合わせて、筒状の絶縁部材の軸方向の長さを短いほうの巻線の軸方向の長さよりも長いものとでき、延面距離について、当該段差部を設けない場合よりも長く確保できるものとした。
一般に動作電圧が２５Ｖ〜１０００Ｖの変圧器において、入力回路の充電部と出力回路との間の絶縁、隣合う入力回路間の絶縁、及び、隣合う出力回路間の絶縁では、夫々１．２ｍｍ〜１６ｍｍの延面距離が必要とされる。本願の請求項３の発明では、段差部により、ショートの危惧が少なく且つ一次側と二次側の間の変圧に影響の少ない６〜８ｍｍの幅を、上記延面距離の成分の少なくとも一部として確保した。
【図面の簡単な説明】
【０００８】
【図１】本願発明に係る一実施の形態に係る変圧器の全体斜視図。
【図２】（Ａ）は上記変圧器の要部略断面図、（Ｂ）は（Ａ）の一部切欠要部拡大断面図。
【図３】（Ａ）は上記変圧器のボビンの一部切欠斜視図、（Ｂ）は当該ボビンの全体斜視図。
【発明を実施するための形態】
【０００９】
以下、図面に基づき本願発明の実施の形態を説明する。
尚、説明の便宜上、各図において、Ｕは上方を、Ｓは下方を、Ｆは前方を、Ｂは後方を、Ｌは左方を、Ｒは右方を示す。
図１〜３へ示す通り、この変圧器は、第１巻線１と、第２巻線２と、ボビン３と、絶縁部材４と、鉄心５と、鉄心固定部６と、端子７とを備える。
以下各部の構成について順に説明する。
【００１０】
（第１巻線１）
この実施の形態において、第１巻線１は、変圧器の入力側の一次巻線であり、ボビンに下巻きされる。第１巻線１は導線である。第１巻線１は金属線にて構成される。第１巻線１は、絶縁用の樹脂にて被覆された金属線であっても実施できるが、変圧器の小型化の観点から当該樹脂にて被覆されていない金属線とするのが好ましい。この実施の形態において、第１巻線は、上記絶縁樹脂にて被覆されない金属線とする。第１巻線１には、エナメル線が適する。但し、第１巻線１は、電気の導体であればよく、他の素材にて形成して実施してもよい。
【００１１】
（第２巻線２）
この実施の形態において、第２巻線２は、変圧器の出力側の二次巻線であり、第１巻線１の上に上巻きされる。第２巻線２は、第１巻線と同様の導線である。
【００１２】
（ボビン３）
ボビン３は、図３（Ａ）（Ｂ）へ示す通り、胴部３１と、胴部３１の両端に設けられた突出部３２とを備える。ボビン３は、絶縁性の素材にて形成される。この実施の形態において、ボビン３は樹脂にて形成されている。
胴部３１は、中空の筒状体である。即ち、胴部３１の内部には、中空部分３０が設けられており、胴部３１の両端は開口する（図２（Ａ）、図３（Ｂ））。胴部３１の外周面に上記第１巻線１が巻回される。胴部３１へ巻回されて筒状体にされた第１巻線１の外周に、絶縁部材４を介して第２巻線２が巻回される。
図３（Ａ）（Ｂ）へ示す通り、この実施の形態において、胴部３は、断面が略矩形である四角柱状の筒状体であるが、断面が円形の円筒としても実施できる。更に胴部３１は、断面が三角形や五角形以上の多角形である角柱状の筒状体としても実施できる。
突出部３２は、胴部３１表面即ち胴部３１外周面よりも当該胴部３１の径外方向へ突出する。この実施の形態において、突出部３２は胴部３１の外径よりも径の大きなフランジである。当該突出部３２にて、胴部３１に巻回された巻線が胴部３１から抜けるのを防止する。
【００１３】
図２（Ａ）（Ｂ）へ示す通り、胴部３１の軸方向を上下方向として縦に置かれたボビン３において、上方の突出部３２の下面と下方の突出部３２の上面は、夫々第１規制面３３と第２規制面３４と段差部３５とを備える。以下、必要に応じて上方の突出部３２の上記下面と下方の突出部３２上記上面とを夫々突出部３２の内側面と呼ぶ。
【００１４】
第１規制面３３は、突出部３２の内側面において、胴部３１の径内外方向について胴部３１へ隣接して設けられた環状の領域である。第１規制面３３は、胴部３１に巻回された第１巻線１の呈する筒状体端部を臨む。第１規制面３３は、胴部３１へ巻回された第１巻線１の胴部３１の軸方向についての移動を規制し、第１巻線１の端部の位置を規定する。
第２規制面３４は、突出部３２の内側面において、第１規制面３３の外側へ設けられて第１規制面３２に隣接する環状の領域である。第２規制面３４は、第１巻線１の外周面に巻回された第２巻線２の呈する筒状体端部を臨む。第２規制面３４は、第２巻線２の胴部３１の軸方向についての移動を規制し、第２巻線２の端部の位置を規定する。
上記段差部３５は、互いに隣接する第１規制面３３と第２規制面３４との間へ形成される。
具体的には、胴部３１の上端側の突出部３２において、第２規制面３４は、第１規制面３３よりも上方へ位置し、胴部３１の下端側の突出部３２において、第２規制面３４は、第１規制面３３よりも下方へ位置する。上記段差部３５は、第１規制面３３と第２規制面３４との間へ形成される。胴部３１の軸方向についての段差部３５の幅は、第１規制面３３と第２規制面３４とにおける、高さの差である。
段差部３５は、胴部３１の軸方向へ沿って真っすぐ上下に伸びると共に当該軸方向から見て環状に形成されて、胴部３１の径外方向を臨む。
第１規制面３３と第２規制面３４との上記位置の相違にて、第２巻線部２の呈する筒状体の上端は、第１巻線部１の呈する筒状体の上端よりも上方に配置でき、前記第２巻線部２の筒状体の下端は、第１巻線部１の筒状体の下端よりも下方に配置できる。
上記段差部３５の形成により、ボビン３に巻かれた第１巻線１と第２巻線２夫々の端部と対応する第１規制面３３と第２規制面３４の両面は、ボビン３の径内外方向について、面一でない。
段差部３５の胴部３１軸方向についての幅ｗ（図２（Ｂ））により、ＪＩＳ  Ｃ  ６１５５８−１：２００８（表１３）に規定されている延面距離を容易に確保することができる。当該幅ｗは、適宜寸法に設定すればよいが、一次二次の両巻線をエナメル線とし、動作電圧を２５Ｖ〜１０００Ｖとする場合、上記幅ｗを上記６ｍｍ乃至８ｍｍとするのが適切である。上記幅ｗが上記６ｍｍを下回ると、第１巻線１と第２巻線２の端部同士が接近しすぎてショートの可能性が大きくなる。上記幅ｗが８ｍｍを超えると、変圧器が嵩高となるのみならず、変圧に支障の出る危惧が生じる。
また、動作電圧、巻線の素材又は巻線の寸法を変更する場合も、上記幅ｗを６ｍｍより小さいものとし或いは８ｍｍより大きいものとして対応することができる。
この実施の形態では、上記の通り、上方の突出部３２と下方の突出部３２の夫々に上記段差部３５を設けることによって、上方の突出部３２の第２規制面３４と下方の突出部３２の第２規制面３４間の距離は、上方の突出部３２の第１規制面３３と下方の突出部３２の第１規制面３３の間の距離よりも大きい。
【００１５】
図３（Ａ）へ示す通り、突出部３２の外縁には、各巻線１，２を端子７にへ接続するために、複数の切欠部３６が設けられている。このような切欠部３６は、複数配列されて、突出部３２の外縁に櫛状の部分を構成する。
【００１６】
（絶縁部材４）
絶縁部材４は、この実施の形態において、電気絶縁性を備えたシート状体である。
上記シート状体としては、油紙、布、又は、丸めて筒状とすることができる柔軟な樹脂にて形成されたものを採用することができる。また、シート状体として、粘着剤が塗布されたテープを採用することもできる。
この実施の形態では、絶縁部材４は、柔軟なシート状のプラスチックにて形成されている。
絶縁部材４は、ボビン３の胴部３１へ巻回されて筒状体とされた第１巻線１の当該筒状体の外周面を被覆する。当該被覆において、胴部３１軸方向へ伸び、絶縁部材４は、第１巻線１が呈する筒状体の端部からはみ出して、上記段差部３５を覆う。
第１巻線１の呈する上記筒状体外周面に沿って筒状にされた絶縁部材４の外周面に、上記の通り第２巻線２が巻回される。
第２巻線２は、図２（Ａ）（Ｂ）へ示すように、上記絶縁部材４に覆われた段差部３５にも巻回されて、前述の通り、第２巻線２が呈する筒状体の端部は、胴部３１軸方向について、上記第１巻線１が呈する筒状体の端部と異なる位置に配置される。
尚、この実施の形態では、第２巻線２の呈する筒状体の外周面を覆う、被覆部材８が設けられている。被覆部材８は、電気絶縁性を備えたシート状体である。被覆部材８は、上記において絶縁部材４の素材として例示した素材を採用して実施することができる。但し被覆部材８を設けずに実施してもよい。
【００１７】
（鉄心５）
図１へ示す通り、複数の鉄心５は、重ねて配置される。
図２（Ａ）へ示す通り、各鉄芯５は、主要部と、主要部と別体に形成された副架橋部５５とを備える。主要部は、一体に形成された、内配置部５１と左右の外配置部５２，５３と架橋部５４とを備える金属片である。
変圧器の正面視において、内配置部５１は縦に伸び、左外配置部５２は内配置部５１の左方にて内配置部５１と平行に伸び、右外配置部５３は内配置部５１の右方にて内配置部５１と平行に伸びる。架橋部５４は、横方向に伸びて左外配置片５２の一端と内配置部５１の一端とを繋ぎ更に内配置部５１の当該一端と右外配置片５３の上端とを繋ぐ。
副架橋部５５は、正面視矩形の金属片であり、正面視において、主要部に対し、上記架橋部５４の反対側に配置されて横方向に伸びる。
具体的には、正面視において、主要部は、略Ｅ字形を呈し、別体の副架橋部５５がＩ字形を呈し、主要部と副架橋部５５とが略「日」字形を呈するように両者を配列し、１枚の鉄芯５を形成する。この配列に際し、先ずＥ字形の主要部の中央にある内配置部５１を、ボビン３の一端側より中空部分３０に収容する。そして、ボビン３の他端側にＩ字形の副架橋部を配置することにて上記「日」字形の配列を完成させる。
図２（Ａ）では、主要部が副架橋部５５の上方に位置しているが、主要部と副架橋部５５の上下の位置関係は交互に変えておく。即ち、一枚の鉄芯５において、主要部を副架橋部５５の上方に配置した場合、その隣の鉄芯５については、副架橋部５５を主要部の上方に配置する。このような配列を鉄芯５間で交互に繰り返す。
【００１８】
（鉄心固定部６）
鉄心固定部６は、重ねられた上記複数の鉄心５を束ねて固定する。
具体的には、図１へ示す通り、鉄心固定部６は、押え片６１と、締結具６２とを備える。押え片６１は、重ねられた鉄心５の正面側と背面側において上方と下方の夫々に配置される。締結具６２はボルト・ナット、ネジ、ピン等座面を備えた周知の固定具を採用することができる。
締結具６２は、上記正面側の押え片６１と鉄心５の束と上記背面側の押え片６１とに通されて、鉄心５と前後両押え片６１とを一体に固定する。
【００１９】
（端子７）  
端子７は、図１へ示す通り、上記上方の押え片６１に設けられた端子台に取り付けられる。
前述の通り、図３（Ａ）へ示す切欠部３６を通じて、端子７へ各巻き線の導線が接続される。
【００２０】
（変更例）
図示した実施の形態において、胴部３１の上方と下方に位置する双方の突出部３２へ段差部３５を設けるものとしたが、端子のある上方の突出部３２にのみ段差部３５を設けて、下方の突出部３２には段差部３５を設けないものとしても実施できる。但し、上下双方の突出部３２へ段差部３５を設けておくのが、絶縁の面でも絶縁部材の取り付けの面でも好ましい。
図示した実施の形態と異なり、上方の突出部３２の内側面において、第１規制面３３は、第２規制面３４よりも上方へ位置し、下方の突出部３２の内側面において、第１規制面３３は、第２規制面３４よりも下方に位置するものとし、第１巻線１呈する筒状体の上端を、第２巻線２の呈する筒状体の上端よりも上方に配置し、第１巻線１の呈する筒状体の下端を、第２巻線２の呈する筒状体の下端よりも下方に配置するものとしてもよい。この場合、突出部３２は、胴部３１と別体に形成されて胴部３１に対し着脱自在に固定されるものとすればよい。
図示した実施の形態において、下巻きとされる第１巻線１を入力側の一次巻線とし、上巻きとされる第２巻線２を出力側の二次巻線としたが、これとは逆に、第１巻線１を二次巻線とし、第２巻線２を一次巻線としてもよい。
図示した実施の形態では、上方の突出部３２と下方の突出部３２の夫々に上記段差部を設けることによって、上方の突出部３２の第２規制面３４と下方の突出部３２の第２規制面３４間の距離は、上方の突出部３２の第１規制面３３と下方の突出部３２の第１規制面３３の間の距離よりも大きいものとした。即ち、第２巻線２のボビン３軸方向の長さは、第１巻線１のボビン３軸方向の長さよりも長いものとした。
この他、第１規制面３３と第２規制面３４とは、ボビン３の軸方向について位置が異なるものであっても、上下の両第１規制面３３間の距離と、上下の第２規制面３４間の距離とは、同じものとし、第２巻線２のボビン３軸方向の長さを第１巻線２より長いものとしても実施できる。
例えば、上方の第２規制面３４を上方の第１規制面３３よりも上方に配置すると共に下方の第２規制面３４を下方の第１規制面３３よりも上方に配置するものとしても実施でき、また、上方の第２規制面３４を上方の第１規制面３３よりも下方に配置すると共に下方の第２規制面３４を下方の第１規制面３３よりも下方に配置するものとしても実施できるのである。
図示した実施の形態において、変圧器が備える巻線を第１巻線１と第２巻線２の２本としたが、単なる例示であり、当該第１巻線１と第２巻線２と共に第３巻線を備えるものとしても実施できる。例えば、第１巻線１の呈する筒状体と同心となるよう第１巻線１の上に巻かれた第２巻線２に対し当該第２巻線２の上に更に上記第３巻線を巻回するものとした場合、ボビン３の胴部３１の径の内外方向について、前述の段差部３５とは別の段差部を、前述の段差部３５の外側へ設けるものとし、第２巻線２と第３巻線との間に介する絶縁部材４の端部を沿わせるものとしても実施できる。
【００２１】
更に変圧器は、４本以上の巻線を備えるものとしても実施できる。巻線を４本以上とし各巻線を胴部３１の径の内外方向について夫々同心となるように巻回する場合、３つ以上の段差部を設けて実施すればよい。巻線を３本以上備える場合も、言及しなかった構成については、図示した実施の形態と同様である。
また、図示した実施の形態において、ボビン３は軸方向を上下とするよう縦に配置されたものを示したが、軸方向を横方向とするように横に配置されるものとしても実施できる。また、ボビン３は、軸方向が斜めとなるように配置されるものとしてもよい。
また、ボビン３は、突出部３２として、フランジを備えるものとしたが、突出部３２は、胴部３１の端部から胴部３１の径外方向へ放射状に複数の突起にて構成されるものとしても実施できる。
図示した実施の形態において、絶縁部材４は、シート状体としたが、当初より筒状体として成形されたプラスチック製のものとしても実施できる。
また、本願発明において、変圧器には、コイルを含むものであり、上記の鉄心を備えないものとしても実施できる。鉄心を備えない場合も、他の構成については図示した実施の形態と同様である。
【符号の説明】
【００２２】
１  第１巻線
２  第２巻線
３  ボビン
４  絶縁部材
５  鉄心
【図１】
2013171884.tif 000003
【図２】
2013171884.tif 000004
【図３】
2013171884.tif 000005